(57)【要約】      （修正有）【課題】容易に作成することができ、立体乾燥花の保存と写真交換の容易さを併せて実現した写真用装飾額縁を提供する。【解決手段】額縁は、乾燥花５を密封収納する収納体１と立体フレーム２と裏板４から成る。収納体１は、底面に写真表示用窓１１４を有し他の底面が解放された内箱１１と、内箱の側面を包囲する枠１２と、枠を前後から挟んで閉封する前透明板１３及び後透明板１４を有し、内箱は枠・前透明板及び後透明板により形成された空間内に密封収納される。立体フレーム２には前透明板の周縁から一定幅を被陰する額装用マット３が付設され、収納体１は内箱１１の側面と枠１２との間に隙間を有し、内箱は側面に隙間に通じる破断部が形成されている。内箱内に配置された乾燥花から分離する破砕小片は、破断部を通過して隙間に落下し、額装用マットの裏側に隠すことができる。【選択図】図２
0003212339.tif 000002
【実用新案登録請求の範囲】
【請求項１】
乾燥花を密封収納する収納体と前記収納体の側周に周設された立体フレームと裏板とから成る写真用装飾額縁であって、前記収納体は、
１の底面に写真表示用窓を有し他の底面が解放された内箱と、
前記内箱の側面を包囲する枠と、
前記枠を前後から挟んで閉封する前透明板及び後透明板と、
を有し、前記内箱は前記枠・前記前透明板及び前記後透明板により形成された空間内に密封収納されることを特徴とする写真用装飾額縁。
【請求項２】
前記立体フレームには前記前透明板の周縁から一定幅を被陰する額装用マットが付設され、
前記収納体は前記内箱の側面と前記枠との間の少なくとも１の箇所に隙間を有し、
前記内箱は前記側面の少なくとも１の箇所に前記隙間に通じる破断部が形成されていることを特徴とする請求項１記載の写真用装飾額縁。
【考案の詳細な説明】
【技術分野】
【０００１】
本考案は、立体的な乾燥花を密封して内蔵でき、かつ、写真の交換が容易である写真用装飾額縁に関する。
【背景技術】
【０００２】
ガラスの容器に立体乾燥花と写真を内蔵して密封した形態の商品が市販されている。
【０００３】
内箱の仕切りに塩化ビニール板を使った写真用装飾額縁が特許文献１に開示されている。また、立体乾燥花を内蔵した内箱をアルミ製防湿袋に入れて密封する方式の乾燥花絵飾りの製造方法が特許文献２に開示されている。
【先行技術文献】
【特許文献】
【０００４】
【特許文献１】特開２００５-２８０３２３号公報
【特許文献２】特開２００８−８７４５６号公報
【考案の概要】
【考案が解決しようとする課題】
【０００５】
立体乾燥花と写真をガラス容器に内蔵した商品は、乾燥花の保存ために密封されているため、写真を交換することができない。一方、写真を交換できる装飾額縁は構造上気密性が低く、乾燥花を退色や変色させずに保存するには、内蔵する乾燥材を頻繁に交換する必要がある。
【０００６】
例えば、特許文献１の塩化ビニール板を仕切りに使った写真用装飾額縁は、写真交換は可能だが内箱が密封されていない為、乾燥花の保存に難がある。
【０００７】
特許文献２には、立体乾燥花を内蔵した内箱をアルミ製防湿袋に入れて密封する方式が開示されており、この方法を採用して写真用装飾額縁を作成することも考えられる。しかしながら、該方法を用いると、前述のガラス容器の商品と同様、密封後に写真の交換ができないため、事前に写真を準備する必要がある。また、乾燥花の破片が出た場合には、分解して作り直すか、そのままにしておくしかない。
【０００８】
上述の問題を踏まえ、本考案においては、容易に作成することができ、立体乾燥花の保存と写真交換の容易さを併せて実現した写真用装飾額縁を提供することを課題とする。
【課題を解決するための手段】
【０００９】
上記課題を解決するために、請求項１記載の写真用装飾額縁は、乾燥花を密封収納する収納体と、前記収納体の側周に周設された立体フレームと、裏板とから成り、前記収納体は、１の底面に写真表示用窓を有し他の底面が解放された内箱と、前記内箱の側面を包囲する枠と、前記枠を前後から挟んで閉封する前透明板及び後透明板とを有し、前記内箱は前記枠・前記前透明板及び前記後透明板により形成された空間内に密封収納されることを特徴とする。
【００１０】
請求項２記載の写真用装飾額縁は、前記立体フレームには前記前透明板の周縁から一定幅を被陰する額装用マットが付設され、前記収納体は前記内箱の側面と前記枠との間の少なくとも１の箇所に隙間を有し、前記内箱は前記側面の少なくとも１の箇所に前記隙間に通じる破断部が形成され、前記額縁の設置状態において前記内箱内に配置された前記乾燥花から分離する破砕小片は、前記破断部を通過させ前記隙間に落下させることにより、前記前透明板の周縁から一定幅を被陰する額装用マットの裏側に隠すことができる構成となっている。
【考案の効果】
【００１１】
本考案により、立体乾燥花の保存と写真交換の容易さを併せて実現した写真用装飾額縁を容易に作成し、提供することが可能となる。
【００１２】
本額縁設置後に乾燥花から分離する破砕小片は、収納体内に設けられた隙間に落とし込んで、前透明板の周縁から一定幅を被陰する額装用マットの裏側に隠すことができるため、該小片除去のために本体を分解することなく、不快な状態を解消することが可能となる。
【図面の簡単な説明】
【００１３】
【図１】本実施形態の写真用装飾額縁の完成写真である。
【図２】本実施形態の写真用装飾額縁の部品構成図である。
【図３】本実施形態の収納体の構成を示す写真である。
【図４】本実施形態の写真用装飾額縁の収納体内の隙間と側面の破断部を示す拡大写真である。
【図５】本実施形態の写真用装飾額縁の作成手順を示す写真である。
【考案を実施するための形態】
【００１４】
本実施形態に係る写真用装飾額縁（以後、単に「本額縁」という。）は、請求項２に記載の額縁である。以下、本額縁の部品構成及び特徴について図を用いて説明する。
【００１５】
まず、本額縁の基本構成について説明する。
図1は本額縁の正面からの写真である。本額縁は、収納体１と収納体１の側周に周設された立体フレーム２と裏板（図１では不図示、図２の４）より成る。乾燥花５は２枚のガラス板に挟まれた収納体１内に密封収納され、写真７は収納体１の裏面を構成する後ガラス板（図１では不図示、図２の１４）と裏板４の間に挟着され、裏板４を外して交換する。また、前ガラス板１３の周縁には額装用マット３が設置され、乾燥花５から分離する破砕小片は、額装用マット３の裏側に隠される構成になっている。
【００１６】
図２は、本額縁の各部品を正面手前から分離し、上下に配列したものである。本額縁の大まかな構成は、前述したように、立体フレーム２・収納体１・裏板４であるが、本考案の最大の特徴は、収納体１の構造にある。以下、説明する。
【００１７】
図３に示すように、収納体１は、前ガラス板１３・内箱１１・枠１２・後ガラス板１４より成る。内箱１１は台紙のコーナーを四角に切り四辺を折り曲げて側面１１２とし、一面が解放された箱としたもので、底面１１１に写真表示用窓１１４が形成されている。内箱１１の４側面はＥＶＡ樹脂製の枠１２に包囲され、枠１２の前後の側辺にはアルミテープ１２１が貼付けられ、ここに前後から２枚のガラス板１３・１４が接着剤で貼付けられている。これにより、枠１２と前後２枚のガラス板１３，１４により形成された直方体の空間は極めて密封性の高い空間となっており、該空間内の内箱１１に収納される乾燥化を長期間保存することを可能としている。
【００１８】
また、内箱１１の下方の側面１１２と枠１２との間には隙間１５が設けられ、側面１１２の両端には隙間１５に通じる破断部１１３が形成されている。図３右下の円囲い部分を拡大したものが図４である。この構成により、内箱１１内に配置された乾燥花から分離する破砕小片は、破断部１１３を通過させることにより隙間１５に落下させ、前ガラス板１３の周縁から一定幅を被陰する額装用マット（図１の３）の裏側に隠すことができる。
【００１９】
次に、本額縁の具体的な作成手順を図５を用いて説明する。
まず、ＥＶＡ樹脂を必要サイズに４本カットし、四角に組合わせ、樹脂の上面・下面・外側側面にアルミテープを貼付けて枠を作り、後ガラス板に接着剤で貼付ける。次に写真用に窓抜きした台紙の上側２ヶ所のコーナーを台形に、下側２ヶ所のコーナーを四角にカットし箱状に折り曲げてから立体乾燥花を装飾した上で、枠の内側にセットする。台紙と枠の間に乾燥材を入てから前ガラス板を蓋にして枠に接着することで、収納体が完成する。収納体を、立体フレームに額装用マットをセットした後にフレーム内に入れて４本の立体フレーム用仕切りで固定する。最後に内箱の後ガラス板に写真を貼付けて裏板を閉じることで、高密封の写真用装飾額縁となる。
【符号の説明】
【００２０】
１      収納体
１１    内箱
１１１  底面
１１２  側面
１１３  破断部
１１４  写真表示用窓
１２    枠
１２１  アルミテープ
１３    前透明板(ガラス板)
１４    後透明板(ガラス板)
１５    隙間
２      立体フレーム
２１    立体フレーム用仕切り
３      額装用マット
４      裏板
５      乾燥花
６      乾燥材
７      写真
【図１】
0003212339.tif 000003
【図２】
0003212339.tif 000004
【図３】
0003212339.tif 000005
【図４】
0003212339.tif 000006
【図５】
0003212339.tif 000007